(57)【要約】【課題】ラッチに棒状部をしっかりと保持させる。【解決手段】棒状部に係合または離脱することでロックまたはロック解除する乗物用ラッチ装置であって、筐体と、筐体に回動可能に支持され、棒状部に係合してロック状態を形成する鉤状部３３を有するラッチ３０とを備える。鉤状部３３は、ロック状態において棒状部に対向する第１支持面３８Ａと、第１支持面３８Ａよりも鉤状部の先端側に位置し第１支持面３８Ａから突出する突出部３７と、当該突出部３７における棒状部に対向する面である第２支持面３８Ｂとを有し、第１支持面３８Ａと第２支持面３８Ｂは異なる向きを向いていることで、棒状部に対し同時に当接可能に配置されている。【選択図】図３
2014061781.tif 000002
【特許請求の範囲】
【請求項１】
棒状部に係合または離脱することでロックまたはロック解除する乗物用ラッチ装置であって、
筐体と、
前記筐体に回動可能に支持され、前記棒状部に係合してロック状態を形成する鉤状部を有するラッチとを備え、
前記鉤状部は、
前記ロック状態において前記棒状部に対向する第１支持面と、
前記第１支持面よりも鉤状部の先端側に位置し前記第１支持面から突出する突出部と、
当該突出部における前記棒状部に対向する面である第２支持面とを有し、
前記第１支持面と前記第２支持面は異なる向きを向いていることで、前記棒状部に対し同時に当接可能に配置されていることを特徴とする乗物用ラッチ装置。
【請求項２】
前記棒状部は円柱形状を有し、
前記第１支持面は、平面、凸曲面または前記棒状部の半径よりも大きな曲率半径の凹曲面であり、
前記第２支持面は、平面、凸曲面または前記棒状部の半径よりも大きな曲率半径の凹曲面であることを特徴とする請求項１に記載の乗物用ラッチ装置。
【請求項３】
前記第２支持面は、前記ラッチの前記筐体に対する回動軸を向くか、当該回動軸よりも、前記鉤状部の基端側を向いていることを特徴とする請求項１または請求項２に記載の乗物用ラッチ装置。
【請求項４】
前記筐体は、前記棒状部が進入する進入溝が形成されており、
前記突出部の前記鉤状部の先端側の側面は、前記ラッチがロック解除状態にあるときに、前記ラッチの回動軸に沿って見て、前記進入溝の縁に沿っていることを特徴とする請求項１から請求項３のいずれか１項に記載の乗物用ラッチ装置。
【請求項５】
前記ラッチは、ラッチ本体と、ラッチ本体の一部を覆い、前記ラッチ本体より柔軟なカバーを含んで構成され、
前記突出部は、前記カバーから露出していることを特徴とする請求項１から請求項４のいずれか１項に記載の乗物用ラッチ装置。
【請求項６】
前記突出部は、前記ラッチの軸方向における全幅にわたって設けられていることを特徴とする請求項１から請求項５のいずれか１項に記載の乗物用ラッチ装置。
【請求項７】
前記突出部は、前記ラッチの軸方向における両端部に面取りが形成されていることを特徴とする請求項１から請求項６のいずれか１項に記載の乗物用ラッチ装置。
【発明の詳細な説明】
【技術分野】
【０００１】
本発明は、乗物用ラッチ装置に関するものであり、特に、乗物用部品を固定するのに使用する乗物用ラッチ装置に関する。
【背景技術】
【０００２】
一般に、車体に対し回動可能に設けられたシートは、その脚などにラッチ装置が設けられており、このラッチ装置が車体に固定されたストライカの棒状部に係合することで車体に固定されている。このようなラッチ装置は、例えば特許文献１に開示されているように、ベースプレートに、ラッチやラチェットなどの回動する部品が支持されて構成されている。ラッチには、溝が形成されており、この溝がストライカを受け入れることでラッチがストライカに係合するようになっている。
【先行技術文献】
【特許文献】
【０００３】
【特許文献１】特許第４３１８２１３号公報
【発明の概要】
【発明が解決しようとする課題】
【０００４】
しかし、ラッチ装置全体をストライカから引き離すような強い力がラッチ装置に掛かる場合があるため、ラッチによるストライカの保持力向上が望まれていた。
【０００５】
そこで、本発明は、ストライカなどの棒状部の保持力を向上した乗物用ラッチ装置を提供することを目的とする。
また、本発明は、ラッチを堅牢に構成しつつ、棒状部とラッチの係合をスムーズにすることを目的とする。
さらに、本発明は、筐体にラッチがかじるのを抑制して、ラッチをスムーズに作動させることを目的とする。
【課題を解決するための手段】
【０００６】
前述した課題を解決する本発明は、棒状部に係合または離脱することでロックまたはロック解除する乗物用ラッチ装置であって、筐体と、前記筐体に回動可能に支持され、前記棒状部に係合してロック状態を形成する鉤状部を有するラッチとを備え、前記鉤状部は、前記ロック状態において前記棒状部に対向する第１支持面と、前記第１支持面よりも鉤状部の先端側に位置し前記第１支持面から突出する突出部と、当該突出部における前記棒状部に対向する面である第２支持面とを有し、前記第１支持面と前記第２支持面は異なる向きを向いていることで、前記棒状部に対し同時に当接可能に配置されていることを特徴とする。
【０００７】
このような乗物用ラッチ装置によれば、乗物用ラッチ装置全体をストライカから引き離すような強い力が乗物用ラッチ装置に掛かった場合に、棒状部が鉤状部の第１支持面上を滑ったとしても、第１支持面より突出した第２支持面に棒状部が当接する。そして、棒状部が第１支持面と第２支持面の両方に同時に当接してこれらに支持されるので、鉤状部が棒状部をしっかりと保持することができる。
【０００８】
前記した乗物用ラッチ装置において、前記棒状部は円柱形状を有し、前記第１支持面は、平面、凸曲面または前記棒状部の半径よりも大きな曲率半径の凹曲面であり、前記第２支持面は、平面、凸曲面または前記棒状部の半径よりも大きな曲率半径の凹曲面である構成とすることができる。
【０００９】
このように構成することで、棒状部が円柱形状を有する場合に、第１支持面と第２支持面を同時に棒状部に当接可能とすることができる。
【００１０】
前記した乗物用ラッチ装置において、前記第２支持面は、前記ラッチの前記筐体に対する回動軸を向くか、当該回動軸よりも、前記鉤状部の基端側を向いていることが望ましい。
【００１１】
このような構成によれば、第２支持面が棒状部を支えやすくなり、鉤状部が棒状部をより一層しっかりと保持することができる。
【００１２】
前記した乗物用ラッチ装置において、前記筐体は、前記棒状部が進入する進入溝が形成されており、前記突出部の前記鉤状部の先端側の側面は、前記ラッチがロック解除状態にあるときに、前記ラッチの回動軸に沿って見て、前記進入溝の縁に沿っていることが望ましい。
【００１３】
このような構成によれば、ラッチの先端部と突起を、可能な限り大きくしつつも、棒状部が進入溝に入るのを阻害することがない。
【００１４】
前記した乗物用ラッチ装置において、前記ラッチは、ラッチ本体と、ラッチ本体の一部を覆い、前記ラッチ本体より柔軟なカバーを含んで構成され、前記突出部は、前記カバーから露出していることが望ましい。
【００１５】
このような構成によれば、柔軟なカバーによりラッチの作動音を小さくできるとともに、突出部がカバーから露出していることで、ラッチ本体自体で棒状部をしっかりと支持することができる。
【００１６】
前記した乗物用ラッチ装置において、前記突出部は、前記ラッチの軸方向における全幅にわたって設けられていることが望ましい。
【００１７】
このように、突出部がラッチの軸方向における全幅にわたって設けられていると、突出部の剛性が高くなり棒状部をしっかりと支持することができる。
【００１８】
前記した乗物用ラッチ装置において、前記突出部は、前記ラッチの軸方向における両端部に面取りが形成されていることが望ましい。
【００１９】
このように、突出部の両端部に面取り、すなわち、平面または丸みによる面取りが形成されていることで、突出部と筐体のかじりを抑制して、ラッチをスムーズに作動させることができる。
【発明の効果】
【００２０】
請求項１に記載の構成によれば、棒状部が第１支持面と第２支持面の両方に同時に当接してこれらに支持されるので、鉤状部が棒状部をしっかりと保持することができる。。
【００２１】
請求項２に記載の構成によれば、棒状部が円柱形状を有する場合に、第１支持面と第２支持面を同時に棒状部に当接可能とすることができる。
【００２２】
請求項３に記載の構成によれば、第２支持面が棒状部を支えやすくなり、鉤状部が棒状部をより一層しっかりと保持することができる。
【００２３】
請求項４に記載の構成によれば、ラッチの先端部と突起を、可能な限り大きくしつつも、棒状部が進入溝に入るのを阻害することがない。
【００２４】
請求項５に記載の構成によれば、柔軟なカバーによりラッチの作動音を小さくできるとともに、突出部がカバーから露出していることで、ラッチ本体自体で棒状部をしっかりと支持することができる。
【００２５】
請求項６に記載の構成によれば、突出部の剛性が高くなり棒状部をしっかりと支持することができる。
【００２６】
請求項７に記載の構成によれば、突出部と筐体のかじりを抑制して、ラッチをスムーズに作動させることができる。
【図面の簡単な説明】
【００２７】
【図１】乗物用ラッチ装置が設けられた乗物用シートのシートフレームの斜視図である。
【図２】乗物用ラッチ装置の分解斜視図である。
【図３】ラッチの拡大図である。
【図４】図３のＡ矢視図である。
【図５】ロック状態にある乗物用ラッチ装置を示す断面図である。
【図６】ラッチを軸支する構成を説明する断面図である。
【図７】乗物用ラッチ装置の動作を説明する図であり、ロッドを少し引いた状態を示す。
【図８】乗物用ラッチ装置の動作を説明する図であり、ロッドを大きく引いた状態を示す。
【図９】乗物用ラッチ装置の動作を説明する図であり、ロッドを戻してラチェットがラッチに当接した状態を示す。
【図１０】乗物用ラッチ装置の動作を説明する図であり、ロック解除状態を示す。
【図１１】乗物用ラッチ装置をストライカから上方に引き離そうとした状態を示す図である。
【図１２】図１１における鉤状部と棒状部の接触状態を示す拡大図である。
【図１３】変形例に係るラッチの拡大図である。
【図１４】他の変形例に係るラッチにおける、（ａ）カバーの斜視図と、（ｂ）カバーのラッチ本体への組み付けを説明する図である。
【発明を実施するための形態】
【００２８】
以下、添付の図面を参照しながら本発明に係る乗物用ラッチ装置の一実施形態について説明する。図１に示すように、一実施形態の乗物用ラッチ装置１は、例えば、自動車などの乗物用シートのフレームＳのうち、背もたれを構成するサイドフレームＳ１などに設けられる。一例として、サイドフレームＳ１は、板金からなるブラケットＳ２が溶接されており、乗物用ラッチ装置１は、このブラケットＳ２に固定された溶接ナットＷＮにボルト９０により固定されている。
【００２９】
乗物用ラッチ装置１は、筐体２にラッチ３０などの機構部品が収納されて構成されている。筐体２には、図１における右に開口する進入溝２Ａが形成されており、ラッチ３０は、鉤状部が、この進入溝２Ａに進出または退避することで、閉状態または開状態となる。乗物用ラッチ装置１は、ラッチ３０が開いたロック解除状態から乗物本体に固定されたストライカの棒状部（図５参照）に押し付けられて係合することでロックできるようになっている。また、乗物用ラッチ装置１は、後に詳述するように、ロッド７０を引っ張ることで、ラッチ３０を閉状態から開状態へ操作してロック解除することができるようになっている。
【００３０】
図２に示すように、乗物用ラッチ装置１は、筐体２と、ラッチ３０と、ラチェット４０と、レバー部材５０と、ロッド７０と、荷重受け部材８０とを主に備えて構成されている。なお、以下の乗物用ラッチ装置１の構成の説明において、便宜上、上下、左右、前後は、図２に矢印で示した上下、左右、前後の方向を用いるが、乗物用ラッチ装置１を任意の姿勢で使用できることは言うまでもない。
【００３１】
筐体２は、樹脂製の樹脂筐体１０と、鋼板（金属）製の補強板２０とを備えて構成されている。乗物用ラッチ装置１は、樹脂筐体１０を採用することで大幅な軽量化を図るとともに、補強板２０を部分的に設けることで必要な剛性および強度が確保されている。
【００３２】
樹脂筐体１０は、一方側が開口したトレイ状の下ケース１０Ａと上ケース１０Ｂとが、薄肉部により構成されたヒンジ１９により接続されて一体に形成されている。このような樹脂筐体１０は、一組の型で一体成形により形成することができる。上ケース１０Ｂは、下ケース１０Ａに対しヒンジ１９を中心に回動することができ、上ケース１０Ｂと下ケース１０Ａのそれぞれの開口同士を合わせることで箱状となるようになっている。
【００３３】
下ケース１０Ａは、平板状のベース部１６Ａと、ベース部１６Ａの外縁の一部において立ち上がる側壁部１７Ａとを備えてトレイ状に形成されている。ベース部１６Ａの下側の縁には進入溝２Ａに対応する進入溝１５Ａが形成されている。また、ベース部１６Ａからは、進入溝１５Ａの左右両側に、進入溝１５Ａから上側に少し離れて円筒状の第１軸１１および第２軸１２が内側に延出している。第１軸１１と第２軸１２は、ともにベース部１６Ａと一体になっている。
【００３４】
第１軸１１は、その軸方向に沿って、断面円形の貫通孔であるボルト孔１１Ｈが形成されている。第２軸１２も、その軸方向に沿って、断面円形の貫通孔であるボルト孔１２Ｈが形成されている。ボルト孔１１Ｈおよびボルト孔１２Ｈは、ともにボルト９０の軸部９１と略同じ直径を有している。
上ケース１０Ｂは、第１軸１１および第２軸１２が無い以外は、樹脂筐体１０の内部については、ヒンジ１９を基準として下ケース１０Ａと略対称に構成されている。上ケース１０Ｂは、平板状のベース部１６Ｂと、ベース部１６Ｂの外縁の一部において立ち上がる側壁部１７Ｂとを備えてトレイ状に形成されている。ベース部１６Ｂの上側（組立後の下側）の縁には進入溝２Ａに対応する進入溝１５Ｂが形成されている。また、ベース部１６Ｂは、進入溝１５Ｂの左右両側に、進入溝１５Ａから下側（組立後の上側）に少し離れてボルト孔１３Ｐ，１３Ｑが、それぞれボルト孔１１Ｈ，１２Ｈに対応して形成されている。
【００３５】
補強板２０は、下ケース１０Ａの外側のうち、上部の一部以外を覆うように形成され、平板状のベース部２１と、ベース部２１の外縁のうち左端および右端から内側に向けて立ち上がる側壁部２７とを備えている。詳細は図示しないが、補強板２０の側壁部２７は、下ケース１０Ａの側壁部１７Ａと係合することで下ケース１０Ａと仮組みすることが可能となっている。
【００３６】
ベース部２１には、前記した下ケース１０Ａの第１軸１１および第２軸１２の後方にそれぞれ突出して形成された位置決め突起（第１軸１１に対応した突起１１Ｊのみを図６に示した）と対応してこれらに嵌合する位置決め孔２２，２３が形成されている。また、ベース部２１の下側の縁には、進入溝２Ａに対応する進入溝２５が形成されている。
【００３７】
補強板２０の外側には、上側の縁に、外側に向けて曲げ起こされたフランジ２８が形成されている。フランジ２８は、荷重受け部材８０と当接して、荷重受け部材８０がストライカＰの棒状部Ｐ１（図５参照）から受ける力を支持する部分である。
【００３８】
ラッチ３０は、ストライカＰの棒状部Ｐ１に係合・離脱して乗物用ラッチ装置１のロックまたはロック解除をする部材である。ラッチ３０は、厚い金属板を打ち抜いて形成され、厚み方向に貫通する第１穴部３１を有し、第１穴部３１が第１軸１１の外側に嵌合することで樹脂筐体１０に回動可能に支持されている。ラッチ３０は、詳細には、金属製のラッチ本体３０Ａと、ラッチ本体３０Ａの前側の面と側縁の一部を覆う、ラッチ本体３０Ａより柔軟な樹脂製のカバー３０Ｂとから構成されている。カバー３０Ｂは、ラチェット４０との摺動性を良くするために設けられている。なお、カバー３０Ｂは、ラッチ本体３０Ａに対し第１穴部３１の軸方向に沿って組み合わされている。
【００３９】
図３に示すように、ラッチ３０は、棒状部Ｐ１を受け入れる溝３２を有し、溝３２の外側を形成する部分が鉤状部３３となっており、鉤状部３３と対向する部分は、第１穴部３１付近から突出した突起部３９となっている。また、ラッチ３０は、図５の姿勢において、右上の縁部に第１穴部３１に近づくよう凹むロック凹部３４が形成されている。ロック凹部３４の左側に隣接する外周部分（側部）は、ラッチ３０の開放時に、ラチェット４０が当接してラッチ３０の開状態を維持する開放当接面３５である。開放当接面３５は、外側に向けて凸曲面となっており、後述するラチェット４０のロック係止部４２Ａが当接する全範囲において、外周の表面から曲率円の中心に向かう方向（図５の矢印参照）が、ラッチ３０の回動軸線に対して一方側、ここでは右側にずれている。このため、ラッチ３０がロック係止部４２Ａから受ける力は、ラッチ３０を時計回り方向、つまり、開状態へ向けて回転させるように働くようになっている。
また、ラッチ３０は、レバー部材５０を軸支するため、前側に突出するピン３６が圧入されている。
【００４０】
鉤状部３３は、図５のような棒状部Ｐ１が係合したロック状態において、棒状部Ｐ１に対し下側から対向し、最も近付く第１支持面３８Ａと、第１支持面よりも、鉤状部３３の先端側に位置し、第１支持面３８Ａから突出する突出部３７と、突出部３７における棒状部Ｐ１に対向する面である第２支持面３８Ｂとを有する。第１支持面３８Ａと第２支持面３８Ｂとは、異なる向きを向いており、棒状部Ｐ１が同時に当接可能なように隣接して配置されている。本実施形態において、棒状部Ｐ１は、円柱形状を有する。第１支持面３８Ａおよび第２支持面３８Ｂは、棒状部Ｐ１に同時に当接可能とするため、平面、凸曲面または棒状部の半径よりも大きな曲率半径の凹曲面である。一例として、本実施形態において、第１支持面３８Ａおよび第２支持面３８Ｂは、ともに平面である。第１支持面３８Ａと第２支持面３８Ｂは、異なる向きを向き、十分な長さを有していることで、棒状部Ｐ１が第１支持面３８Ａと第２支持面３８Ｂで形成される隅部に位置したときには、第１支持面３８Ａと第２支持面３８Ｂとは、棒状部Ｐ１に対し同時に当接可能となっている。
【００４１】
また、突出部３７の鉤状部３３の先端側の側面３８Ｃは、図１０に示したロック解除状態において、ラッチ３０の回動軸Ｘに沿って見て、進入溝２Ａの縁に重なるように沿っている。これにより、ラッチ３０の先端部と突出部３７を、可能な限り大きくして堅牢に構成しつつも、棒状部Ｐ１が進入溝２Ａに入るのを阻害することがない。すなわち、棒状部Ｐ１とラッチ３０をスムーズに係合させることができる。
【００４２】
突出部３７は、前記した柔軟なカバー３０Ｂから露出している。これにより、突出部３７の第２支持面３８Ｂが棒状部Ｐ１を支持するときには、ラッチ本体３０Ａ自体でしっかりと支持することができる。また、カバー３０Ｂが、ラッチ本体３０Ａにコーティングされるタイプではなく、組み付けられるタイプの場合には、突出部３７がカバー３０Ｂから露出していることで、カバー３０Ｂをラッチ本体３０Ａに組み付けるのが容易である。
【００４３】
突出部３７は、図４に示すように、ラッチ本体３０Ａの軸方向における全幅にわたって設けられている。このため、突出部３７は、十分な剛性を備えており、棒状部Ｐ１をしっかりと支持することができる。そして、突出部３７の軸方向における両端部には、丸み付けによる面取り３８Ｄが形成されている。このため、突出部３７は、樹脂筐体１０の内面をかじることがなく、ラッチ３０は、樹脂筐体１０内でスムーズに動くことができる。なお、面取り形状は、平面による面取りでもよいし、図４（ｂ）に示すように、なだらかな丸み付けによる面取り３８Ｅを形成して、突出部３７の稜線が全体として樽形になっていてもよい。
【００４４】
図２および図５に示すように、ラチェット４０は、金属製の略板状の部材であり、厚み方向に貫通する第２穴部４１が樹脂筐体１０の第２軸１２の外側に嵌合して、樹脂筐体１０に回動可能に支持されている。ラチェット４０の回動軸は、ラッチ３０の回動軸と平行である。ラチェット４０は、第２穴部４１の左上方に略扇形の本体部４２を有し、本体部４２の左下の角がラッチ３０に当接するロック係止部４２Ａとなっている。ロック係止部４２Ａは、ラッチ３０の閉状態においてラッチ３０のロック凹部３４に入り込んでラッチ３０の閉状態を維持するとともに、ラッチ３０の開状態においては、開放当接面３５に当接して開状態を維持するように機能する。
【００４５】
本体部４２の上部からは、さらに上方に細く延びるアーム４３が形成され、アーム４３の先端には、付勢部材の一例としての引張バネ７５の右端が引っ掛けられるフック４４が形成されている。引張バネ７５の端部を、アーム４３の先端の形状をフック状にしてなるフック４４により係止することで、リベットなどの別部品をアーム４３に固定することで引張バネ７５の端部を係止する構造に比較して部品点数を削減することができる。また、アーム４３には、図２に示すように孔４８が形成され、この孔４８に乗物用ラッチ装置１をロック状態からロック解除状態に操作するロッド７０が、リベット７１により揺動可能に結合されている。
【００４６】
図５に示すように、本体部４２のうちロック係止部４２Ａの若干右側には、前側に突出するピン４５が圧入されている。また、図２に示すように、ラチェット４０は、第２穴部４１の周囲で穴の軸方向前側に突出したフランジ４７を有している。フランジ４７は、レバー部材５０の厚みに対応した大きさで突出し、ラッチ３０の閉状態において、レバー部材５０が引張バネ７５の付勢力によりフランジ４７に当接することで、レバー部材５０の遊びが防止されるようになっている。
【００４７】
レバー部材５０は、ラチェット４０の動作をラッチ３０と連動させるための操作機構である。レバー部材５０は、細長い板状の部材であり、長手方向の略中央に形成された孔５１がラッチ３０のピン３６に嵌合することでラッチ３０に回動可能に支持されている。
【００４８】
レバー部材５０は、図５の姿勢において回動軸から右下に向けて作動アーム５２が延び、上方に向けて操作アーム５３が延びている。作動アーム５２には、変形の四角形のガイド孔５２Ａが形成されている。ガイド孔５２Ａにはラチェット４０のピン４５が入り込んでいる。作動アーム５２の先端は、ラチェット４０のフランジ４７に当たってレバー部材５０の遊びを防止するストッパ面５２Ｂとなっている。操作アーム５３の先端にはフック５４が形成され、フック５４に引張バネ７５の左端が引っ掛けられている。引張バネ７５の端部を、操作アーム５３の先端の形状をフック状にしてなるフック５４により係止することで、リベットなどの別部品を操作アーム５３に固定することで引張バネ７５の端部を係止する構造に比較して部品点数を削減することができる。
【００４９】
引張バネ７５は、前記したようにラチェット４０とレバー部材５０に各端部が引っ掛けられ、ラチェット４０の本体部４２とレバー部材５０の操作アーム５３とを常時引き付けるように付勢力を与えている。この付勢力は、ラチェット４０のロック係止部４２Ａをラッチ３０に向けて付勢する力を与えるようにも働く。
【００５０】
荷重受け部材８０は、ストライカＰの棒状部Ｐ１に当接してストライカＰからの荷重を受ける樹脂製の部材である。詳細は省略するが、荷重受け部材の下端にある荷重受け面８９Ａは、ロック状態において棒状部Ｐ１に当接し、棒状部Ｐ１から荷重受け部材８０に入る荷重は、補強板２０のフランジ２８に伝えられ、補強板２０で受け止められるようになっている。
【００５１】
図６に示すように、下ケース１０Ａ、上ケース１０Ｂは、ボルト９０により互いに締結されて箱形状にされ、かつ、補強板２０とともにブラケットＳ２に固定されている。ボルト９０は、軸部９１と、軸部９１の先端に設けられたネジ部９２と、基端に設けられたフランジ付ヘッド９３とを有している。軸部９１は、ネジ部９２の山部よりも太く拡径しており、この拡径した段の部分で溶接ナットＷＮに締結したときの締結力を受けるようになっている。これにより、金属製のカラーを用いる場合に比較してコストダウンを図ることができる。
【００５２】
下ケース１０Ａと上ケース１０Ｂは、ラッチ３０などの各部材を内部に組み付けられた上でそれぞれの開口側を向かい合わせにして箱状にされ、ボルト孔１１Ｈにボルト９０の軸部９１が挿通されて、ネジ部９２をブラケットＳ２の溶接ナットＷＮに螺合することでブラケットＳ２に固定されている。なお、フランジ付ヘッド９３と補強板２０の間にはスプリングワッシャ９５が介装されて、スプリングワッシャ９５の弾性力によりブラケットＳ２とフランジ付ヘッド９３の間で乗物用ラッチ装置１を挟持している。なお、ここでは、図６を参照して、ボルト９０により第１軸１１における締結状態を説明したが、ボルト９０による第２軸１２における締結も全く同様である。そのため、第２軸１２における締結は、説明を省略する。
【００５３】
以上のように構成された乗物用ラッチ装置１の動作について説明する。
図５の作動前の状態において、ストライカＰの棒状部Ｐ１は、筐体２の進入溝２Ａの最も奥に入り込んでおり、ラッチ３０の鉤状部３３が棒状部Ｐ１を下から抱え込んでいる。そして、ラッチ３０のロック凹部３４にはロック係止部４２Ａが入り込んでラッチ３０の回動を規制している。すなわち、ラッチ３０は閉状態であり、乗物用ラッチ装置１はロック状態にある。このとき、引張バネ７５は引張力を発生しており、ラチェット４０のロック係止部４２Ａがロック凹部３４の底に当接している。また、ストライカＰの棒状部Ｐ１は、荷重受け部材８０の荷重受け面８９Ａに当接しており、ストライカＰから乗物用ラッチ装置１に掛かる荷重は荷重受け部材８０を介して補強板２０のフランジ２８（図２参照）に伝わり、補強板２０が受けている。
【００５４】
図５の作動前の状態から、ロッド７０を牽引すると、乗物用ラッチ装置１は、まず、図７に示すように、ラチェット４０が時計回りに回動し、ラチェット４０のピン４５がガイド孔５２Ａの右上縁を押して、引張バネ７５を引き伸ばしながらレバー部材５０を反時計回りに回動させる。図７においては、図５からほとんど変化が無いが、このレバー部材５０に掛かる力がピン３６を介してラッチ３０を少しずつ時計回りに回転させようとする。
【００５５】
ロッド７０をさらに牽引すると、図８に示すように、ラチェット４０がさらに時計回りに回動して、ロック係止部４２Ａがロック凹部３４から完全に離脱する。そして、ラッチ３０がレバー部材５０からピン３６を介して受ける力により時計回りに回動し、ロック係止部４２Ａがラッチ３０の開放当接面３５に対面する。
【００５６】
図８の状態から、引張バネ７５の引張力にまかせてロッド７０を戻していくと、図９に示すように、ラチェット４０のロック係止部４２Ａがラッチ３０の開放当接面３５に当接する。このとき、ラチェット４０がラッチ３０を押す力は、図９に太い矢印で示したように、ロック係止部４２Ａと開放当接面３５の接触点から開放当接面３５の曲率中心に向かう。開放当接面３５の曲率中心は、ロック係止部４２Ａと当接する範囲においてラッチ３０の回動軸に対して右側にずれているため、引張バネ７５の付勢力によりラチェット４０がラッチ３０を押す力は、ラッチ３０を時計回り、すなわち開状態へ向けて回動させる力（回転モーメント）として働く。
【００５７】
そこで、この回転モーメントにより開放当接面３５がロック係止部４２Ａを滑りながらラッチ３０が時計回りに回動すると、図１０に示すように、ラッチ３０が開状態となり、ストライカＰの棒状部Ｐ１が進入溝２Ａから離脱することができる。すなわち、乗物用ラッチ装置１がロック解除状態となる。
【００５８】
乗物用ラッチ装置１をロック解除状態からロック状態に戻す場合には、図１０に示す状態からストライカＰの棒状部Ｐ１を進入溝２Ａに進入させ、ラッチ３０の溝３２に押し当ててラッチ３０を反時計回りに回動させる。すると、開放当接面３５に当接していたロック係止部４２Ａが開放当接面３５上を滑り、十分にラッチ３０が回動したところで引張バネ７５の付勢力によりロック係止部４２Ａがロック凹部３４に入り込む。すなわち、図５のロック状態に戻る。
【００５９】
ところで、図５に示すように乗物用ラッチ装置１がロック状態にあるときに、ロッド７０を操作することなく、乗物用シートの背もたれのサイドフレームＳ１（図１参照）を急激に前方へ倒そうとすると、乗物用ラッチ装置１自体がストライカＰから上方に引き離されるように移動する。すると、棒状部Ｐ１は、ラッチ３０における鉤状部３３の第１支持面３８Ａを強く押して、図１１に示すようにラッチ３０を時計回りに回動させる。そして、棒状部Ｐ１は、第１支持面３８Ａ上を鉤状部３３の先端側（つまり、溝３２の出口側）に向かって滑り、突出部３７に当接する。
【００６０】
このとき、図１２に示す拡大図のように、棒状部Ｐ１は、第１支持面３８Ａと当接点Ａで当接し、第２支持面３８Ｂに当接点Ｂで当接する。すなわち、棒状部Ｐ１は、図１２の矢印のように鉤状部３３に押し付けられるが、この押し付け力は、棒状部Ｐ１が第１支持面３８Ａと第２支持面３８Ｂに同時に当接することで、この２つの面に支持される。このため、本実施形態の乗物用ラッチ装置１によれば、乗物用ラッチ装置１をストライカＰから外そうとする力が掛かっても、ラッチ３０が棒状部Ｐ１をしっかりと保持することができる。
【００６１】
以上に本発明の一実施形態について説明したが、本発明は、前記した実施形態に限定されることなく適宜変形して実施することができる。
例えば、突出部３７は、棒状部Ｐ１がスムーズに溝３２から着脱できる限り第１支持面３８Ａから大きく突出しているのが望ましい。このとき、図１３に示すラッチ１３０のように、第２支持面１３８Ｂは、ラッチ１３０の筐体２に対する回動軸Ｘを向くか、当該回動軸Ｘよりも鉤状部３３の基端側を向いていると、棒状部Ｐ１から第２支持面１３８Ｂに非常に大きな力が掛かっても、鉤状部３３が棒状部Ｐ１をしっかりと保持することができる。なお、逆に、第２支持面１３８Ｂがラッチ１３０の筐体２に対する回動軸Ｘよりも、溝３２の開口側（図１３の右側）に向いていると、鉤状部３３と棒状部Ｐ１が係合しやすくなる。
【００６２】
また、前記した実施形態においては、ラッチ３０のカバー３０Ｂは、ラッチ本体３０Ａに対し第１穴部３１の軸方向に沿って組み合わされている形態とされていたが、図１４（ａ）、（ｂ）に示すラッチ２５０のように、ラッチ本体３０Ａの側方から（厚み方向に直交する平面方向に沿って）組み付けられる形態とすることもできる。具体的には、この変形例に係るカバー２３０は、樹脂を射出成形してなるものであり、ラッチ本体３０Ａの回動軸Ｘに直交するように広がる一方側の表面（ここでは、後側の表面）の少なくとも一部を覆う第１カバー部２３１と、ラッチ本体３０Ａの他方側の表面（ここでは、前側の表面）の少なくとも一部を覆う第２カバー部２３２と、第１カバー部２３１と第２カバー部２３２を連結し、ラッチ本体３０Ａの側部を覆う連結部２３５Ａ，２３５Ｂとを有してなる。カバー２３０は、連結部が２つ以上あることで、ラッチ本体３０Ａから外れにくくなっている。
【００６３】
第２カバー部２３２は、鉤状部３３の先端部を覆う鉤カバー部２３２Ａと、突起部３９の下半分を覆う突起カバー部２３２Ｂとを含む。
【００６４】
連結部２３５Ａは、ラッチ本体３０Ａの側部のうち、溝３２の内面に沿う部分と、突起部３９の先端を覆うように延在している。一方、連結部２３５Ｂは、ラッチ本体３０Ａの側部のうち、鉤状部３３の下側を覆うように延在している。このような構成により、第１カバー部２３１、連結部２３５Ａ、鉤カバー部２３２Ａおよび連結部２３５Ａにより、側方から見て閉じた環状部２４１が形成されている（図１４（ａ）参照）。
【００６５】
図１４（ｂ）に示すように、第１カバー部２３１と、第２カバー部２３２とは、ラッチ本体３０Ａの回動軸Ｘに沿って見て重ならないように配置されている。これにより、カバー２３０は、射出成形時に、回動軸Ｘに沿って型抜きをすることで、容易に型抜きできるようになっている。
【００６６】
第１カバー部２３１には、ラッチ本体３０Ａの支軸である第１軸１１が配置される第１穴部３１に対応した位置に、貫通孔２３７が形成されている。また、第１カバー部２３１には、ラッチ本体３０Ａのピン３６に対応して、貫通孔２３８が形成されている。さらに、第１カバー部２３１の、溝３２と対向する縁部、すなわち、左側の縁部には、ラッチ本体３０Ａの側部に回り込んで係合する係止部２３９が設けられている。
【００６７】
このように構成されたカバー２３０は、回動軸Ｘに直交する平面に沿ってラッチ本体３０Ａに組み付けられるようになっている。具体的には、カバー２３０は、ラッチ本体３０Ａに対し溝３２の長手方向に沿って組み付けられる。この組み付けの際には第１カバー部２３１を後側に少し撓ませながら鉤状部３３を環状部２４１に嵌め、突起部３９を第１カバー部２３１と突起カバー部２３２Ｂに挟ませるようにする。このとき、貫通孔２３８をピン３６に通し、また、係止部２３９をラッチ本体３０Ａの後側の面を乗り越えさせてラッチ本体３０Ａの左側の側部に係合させる。これらの、鉤状部３３と環状部２４１の嵌合、突起部３９と突起カバー部２３２Ｂとの係合、係止部２３９とラッチ本体３０Ａの側部の係合、および、ピン３６と貫通孔２３８の係合により、カバー２３０は、ラッチ本体３０Ａから容易には外れないようになる。特に、鉤状部３３と環状部２４１の嵌合、突起部３９と突起カバー部２３２Ｂとの係合により、カバー２３０は、ラッチ本体３０Ａに対し、回動軸Ｘ方向にずれることがない。
【００６８】
このようにして組み立てられたラッチ２５０は、第１軸１１が第１穴部３１および貫通孔２３７に挿通されて第１軸１１に軸支される。このように第１軸１１に軸支されると、カバー２３０は、回動軸Ｘに直交する方向にもずれることができないので、ラッチ本体３０Ａからずれたり、外れたりすることが防止される。
【００６９】
なお、この変形例のカバー２３０においても、突出部３７は、カバー２３０から露出しているので、柔軟なカバー２３０によりラッチ３０の作動音を小さくできるとともに、突出部３７がカバー２３０から露出していることで、ラッチ本体３０Ａ自体で棒状部Ｐ１をしっかりと支持することができる。また、カバー２３０をラッチ本体３０Ａに組み付けるときも、組み付け作業が容易である。
【００７０】
本発明の乗物用ラッチ装置の他の変形例についてさらに説明すると、図示は省略するが、ラッチ３０のカバー３０Ｂは、ラッチ本体３０Ａにゴムをコーティングする形態で設けるようにしてもよい。
【００７１】
また、乗物用ラッチ装置１は、車両などの乗物用シートの背もたれに使用される場合だけでなく、乗物用シートの着座部や脚に設けられていてもよく、車両のトランクなどの開閉部分をロックする装置として使用することもできる。また、乗物用シートも、車両以外の船舶や飛行機のシートであってもよい。
【符号の説明】
【００７２】
１      乗物用ラッチ装置
２      筐体
１０    樹脂筐体
１０Ａ  下ケース
１０Ｂ  上ケース
１１    第１軸
２０    補強板
３０    ラッチ
３０Ａ  ラッチ本体
３０Ｂ  カバー
３１    第１穴部
３２    溝
３３    鉤状部
３７    突出部
３８Ａ  第１支持面
３８Ｂ  第２支持面
４０    ラチェット
５０    レバー部材
７０    ロッド
Ｐ      ストライカ
Ｐ１    棒状部
Ｘ      回動軸
【図１】
2014061781.tif 000003
【図２】
2014061781.tif 000004
【図３】
2014061781.tif 000005
【図４】
2014061781.tif 000006
【図５】
2014061781.tif 000007
【図６】
2014061781.tif 000008
【図７】
2014061781.tif 000009
【図８】
2014061781.tif 000010
【図９】
2014061781.tif 000011
【図１０】
2014061781.tif 000012
【図１１】
2014061781.tif 000013
【図１２】
2014061781.tif 000014
【図１３】
2014061781.tif 000015
【図１４】
2014061781.tif 000016